(57)【要約】【課題】光ファイバの心線の収納が容易で、かつ収納後に心線が収納部から外れるのを防止可能にした光ファイバ収納トレイを提供する。【解決手段】心線押え鍔２１は、少なくとも収納トレイ本体１１の長手方向の両端２箇所に設けられている。心線押え鍔２１の一端は、ヒンジ部２２で外周壁１３に連結されており、心線押え鍔２１は収納トレイ本体１１に対し回転可能な構造となっている。心線を収納部１６に収納した後心線押え鍔２１を閉じることにより、収納された心線２５を整理する等の作業を行っても、心線２５が収納部１６から外れてしまう恐れがなくなる。【選択図】図１
2009251320.tif 000002
【特許請求の範囲】
【請求項１】
トレイ上に光ファイバの心線余長を輪取り収納するための収納部と心線接続部を固定する固定部とを備えた光ファイバ収納トレイであって、
少なくとも前記収納部の長手方向の両端２箇所に前記心線を保持するための心線押え鍔を備え、前記心線押え鍔は着脱自在に前記トレイに連結され、装着時に前記トレイの所定箇所との間に前記心線を配線可能な環状空間を形成する
ことを特徴とする光ファイバ収納トレイ。
【請求項２】
トレイ上に光ファイバの心線余長を輪取り収納するための収納部と心線接続部を固定する固定部とを備えた光ファイバ収納トレイであって、
少なくとも前記収納部の長手方向の両端２箇所に前記心線を保持するための心線押え鍔を備え、前記心線押え鍔は着脱自在に前記トレイに可動的に連結され、所定の可動位置で前記トレイの所定箇所との間に前記心線を配線可能な環状空間を形成する
ことを特徴とする光ファイバ収納トレイ。
【請求項３】
前記心線押え鍔の一端が、前記トレイの一端に回転可能に連結され、前記心線押え鍔の他端が前記トレイの所定位置に係止可能に形成されており、
前記心線押え鍔の他端を前記所定位置に係止したとき、前記心線押え鍔と前記トレイとの間に前記心線を配線可能な空間が形成される
ことを特徴とする請求項１又は２に記載の光ファイバ収納トレイ。
【請求項４】
前記心線押え鍔の他端に係止凸部を備え、前記トレイの前記所定位置に前記係止凸部と勘合可能な係止凹部を備える
ことを特徴とする請求項３に記載の光ファイバ収納トレイ。
【請求項５】
前記心線押え鍔の他端に係止凹部を備え、前記トレイの前記所定位置に前記係止凹部と勘合可能な係止凸部を備える
ことを特徴とする請求項４に記載の光ファイバ収納トレイ。
【請求項６】
前記心線押え鍔は、前記心線押え鍔と前記トレイとの間の前記環状空間を拡大可能となるよう弾力性を有する
ことを特徴とする請求項１から請求項５のいずれか１項に記載の光ファイバ収納トレイ。
【請求項７】
前記心線押え鍔は、前記心線押え鍔と前記トレイとの間の前記環状空間に配線された前記心線を押圧固定するための押圧部を備える
ことを特徴とする請求項１から請求項６のいずれか１項に記載の光ファイバ収納トレイ。
【請求項８】
前記係止凸部につまみ部を設け、前記つまみ部をつまむことにより前記係止凸部を前記係止凹部から離脱可能としている
ことを特徴とする請求項４に記載の光ファイバ収納トレイ。
【発明の詳細な説明】
【技術分野】
【０００１】
本発明は、光ファイバ相互を接続する心線接続部と心線余長を収納するための、光ファイバ収納トレイに関するものである。
【背景技術】
【０００２】
従来より、光ファイバ相互を接続するとともに、心線の余長分を収納するのに光ファイバ収納トレイが用いられている。従来から用いられている光ファイバ収納トレイは、光ファイバ相互を接続した心線接続部と、心線の余長分を収納する収納部がトレイ上に形成された構造となっている。
【０００３】
収納部は、心線をトレイ内に周回させて輪取り収納できるよう曲げガイドを備えており、心線は曲げガイドとトレイ外周壁との間に収納される構造となっている。また、輪取り収納した心線を保持するための心線押え鍔が、曲げガイド及びトレイ外周壁に適宜設けられている。
【０００４】
従来の光ファイバ収納トレイに設けられた心線押え鍔は、その一端が曲げガイドまたはトレイ外周壁に固定されており、トレイの底部と心線押え鍔との間に心線を配線するようにしていた。心線をトレイの底部と心線押え鍔との間に配置できるよう、心線押え鍔の長さが心線を輪取り収納する収納部の幅よりも短く形成されている。
【０００５】
光ファイバ収納トレイに心線を収納するに当たっては、心線に大きなストレスをかけることのないように、心線の最小曲げをある程度大きく維持しながら屈曲させて収納部内に輪取り収納する必要がある。また、収納された心線の輪取り径は大小様々な大きさの輪で構成されていることから、トレイへの収納後に各々の心線輪取り径を均等に揃えたり、心線に局部的な曲げが発生しない様にトレイ内の心線配線状態を整える必要が有る。
【０００６】
しかしながら、従来の光ファイバ収納トレイでは、心線押え鍔がトレイに固定されているため、心線押え鍔と曲げガイドの隙間などから心線を装着させる必要が有り、収納作業性が悪いといった欠点があった。
【０００７】
そこで、特許文献１では、上記欠点を解決するために、図６に示す心線接続収納トレイが開示されている。特許文献１に記載の心線接続収納トレイ１００は、収納部１０１に収納された心線を保持するために、トレイ１０２の複数箇所に設置された心線ガイド片１０３に加えて、開閉自在な心線押え片１０４を備えている。
【０００８】
特許文献１によれば、心線の収納作業時には心線押え片１０４を開けておき、この状態で心線を収納する。また、心線の輪取り収納を終了した後に、心線押え片１０４を閉じて心線を保持するようにしている。心線押え片１０４のトレイ１０２には、受片１０５が備えられ、心線押え片１０４を閉じた状態に保持するが、受片１０５は心線押え片１０４が連結された側の端部に設けられている。かかる構成は、収納部１０１の構造を簡潔にし、収納作業に好適なものと思料される。
【特許文献１】特開２００１−４２１３４号公報
【発明の開示】
【発明が解決しようとする課題】
【０００９】
しかしながら、従来の心線押え鍔がトレイに固定された光ファイバ収納トレイでは、心線押え鍔と曲げガイドとの隙間などから心線をトレイに装着する必要があり、収納作業性が悪かった。
【００１０】
また、心線押え鍔を開閉可能とした特許文献１に記載の光ファイバ収納トレイでは、心線押え鍔を閉じた状態でも、トレイに連結されていない他方の先端部が解放されたままの状態で係止されていないため、心線の配線状態を整える作業の途中で一旦収納した心線が心線押え鍔から外れてしまうことがあり、再度の作業が必要となるといった問題があった。
【００１１】
そこで、本発明はこれらの問題を解決するためになされたものであり、光ファイバの心線の収納が容易で、かつ収納後に心線が収納部から外れるのを防止可能にした光ファイバ収納トレイを提供することを目的とする。
【課題を解決するための手段】
【００１２】
請求項１に係る光ファイバ収納トレイは、トレイ上に光ファイバの心線余長を輪取り収納するための収納部と心線接続部を固定する固定部とを備えた光ファイバ収納トレイであって、少なくとも前記収納部の長手方向の両端２箇所に前記心線を保持するための心線押え鍔を備え、前記心線押え鍔は着脱自在に前記トレイに連結され、装着時に前記トレイの所定箇所との間に前記心線を配線可能な環状空間を形成することを特徴とする。
【００１３】
請求項２に係る光ファイバ収納トレイは、トレイ上に光ファイバの心線余長を輪取り収納するための収納部と心線接続部を固定する固定部とを備えた光ファイバ収納トレイであって、少なくとも前記収納部の長手方向の両端２箇所に前記心線を保持するための心線押え鍔を備え、前記心線押え鍔は着脱自在に前記トレイに可動的に連結され、所定の可動位置で前記トレイの所定箇所との間に前記心線を配線可能な環状空間を形成することを特徴とする。
【００１４】
請求項３に係る光ファイバ収納トレイは、  前記心線押え鍔の一端が、前記トレイの一端に回転可能に連結され、前記心線押え鍔の他端が前記トレイの所定位置に係止可能に形成されており、前記心線押え鍔の他端を前記所定位置に係止したとき、前記心線押え鍔と前記トレイとの間に前記心線を配線可能な空間が形成されることを特徴とする。
【００１５】
請求項４に係る光ファイバ収納トレイは、前記心線押え鍔の他端に係止凸部を備え、前記トレイの前記所定位置に前記係止凸部と勘合可能な係止凹部を備えることを特徴とする。
【００１６】
請求項５に係る光ファイバ収納トレイは、前記心線押え鍔の他端に係止凹部を備え、前記トレイの前記所定位置に前記係止凹部と勘合可能な係止凸部を備えることを特徴とする。
【００１７】
請求項６に係る光ファイバ収納トレイは、前記心線押え鍔は、前記心線押え鍔と前記トレイとの間の前記環状空間を拡大可能となるよう弾力性を有することを特徴とする。
【００１８】
請求項７に係る光ファイバ収納トレイは、前記心線押え鍔は、前記心線押え鍔と前記トレイとの間の前記環状空間に配線された前記心線を押圧固定するための押圧部を備えることを特徴とする。
【００１９】
請求項８に係る光ファイバ収納トレイは、  前記係止凸部につまみ部を設け、前記つまみ部をつまむことにより前記係止凸部を前記係止凹部から離脱可能としていることを特徴とする。
【発明の効果】
【００２０】
本発明によれば、光ファイバの心線の収納が容易で、かつ収納後に心線が収納部から外れるのを防止可能にした光ファイバ収納トレイを提供することができる。本発明によれば、心線を輪取り収納する際には心線押え鍔を外した、あるいは開いた状態にすることで収納作業が容易となる一方、収納後に心線押え鍔を閉じた状態で収納された心線の配線状態を整える作業を行えるようにすることで、収納された心線が外れるのを防止することが可能となる。
【発明を実施するための最良の形態】
【００２１】
本発明の好ましい実施の形態における光ファイバ収納トレイについて、図面を参照して詳細に説明する。なお、同一機能を有する各構成部については、図示及び説明簡略化のため、同一符号を付して示す。
【００２２】
図１は、本発明の実施の形態に係る光ファイバ収納トレイの構造を示す平面図及び側面図である。図１（ａ）は光ファイバ収納トレイ１０の平面図であり、（ｂ）は光ファイバ収納トレイ１０の長辺側の側面図、（ｃ）は光ファイバ収納トレイ１０の短辺側の側面図、をそれぞれ示している。
【００２３】
光ファイバ収納トレイ１０は、収納トレイ本体１１と収納トレイ蓋１２とから構成されており、収納トレイ本体１１の外周には所定高さの外周壁１３が備えられている。収納トレイ本体１１は、心線を外部から収納トレイ本体１１の内部に取り込むための心線導入口１４と、光ファイバを連結した心線連結部を固定するための固定部１５と、心線の余長分を収納するための収納部１６とから構成されている。
【００２４】
収納部１６には、心線の最小曲げを所定値以上に確保することが可能な曲げガイド１７と内周壁１８が設けられており、心線が曲げガイド１７と内周壁１８との間に収納される構造となっている。また、従来の光ファイバ収納トレイと同様に、固定鍔１９が収納部１６の適切な位置に配置されている。
【００２５】
本実施形態の光ファイバ収納トレイ１０は、上記構成に加えてさらに心線押え鍔２１を備えることを特徴としている。心線押え鍔２１は、少なくとも収納トレイ本体１１の長手方向の両端２箇所に設けられている。心線押え鍔２１の一端は、ヒンジ部２２で外周壁１３に連結されており、心線押え鍔２１は収納トレイ本体１１に対し回転可能な構造となっている。
【００２６】
心線押え鍔２１の長さは、曲げガイド１７と外周壁１３との幅よりも長く形成されており、ヒンジ部２２を支点に心線押え鍔２１を曲げガイド１７側に回転させて閉じた状態にしたとき、心線押え鍔２１のヒンジ部２２側とは反対側の端部が曲げガイド１７の所定位置に当接するようにしている。
【００２７】
本実施形態の光ファイバ収納トレイ１０では、上記のようにして心線押え鍔２１を閉じたとき、心線押え鍔２１が曲げガイド１７に固定されるよう、心線押え鍔２１と曲げガイド１７にそれぞれ係止凸部２３と係止凹部２４が設けられている。ここでは、心線押え鍔２１に係止凸部２３を設け、曲げガイド１７に係止凹部２４を設けるようにしているが、これを逆に設けるようにすることも可能である。
【００２８】
上記の構造を有する本実施形態の光ファイバ収納トレイ１０を用いて光ファイバを収納する１実施例を、図２を用いて以下に説明する。図２は、光ファイバの心線２５を収納し終えた状態を示す平面図である。
心線の収納作業を開始するに当たって、まず係止凸部２３を係止凹部２４から抜き取り、心線押え鍔２１を図１に示すような開放された状態にする。
【００２９】
心線押え鍔２１が開放された状態で、心線２５を輪状態に曲げながら収納部１６に順次収納していく。心線押え鍔２１が開放されていることから、心線２５を固定鍔１９の下にくぐらせながら、曲げガイド１７と内周壁１８との間で心線を曲げながら収納する作業が容易に行える。
【００３０】
心線２５を収納部１６に収納し終えると、次に心線押え鍔２１を回転させて係止凸部２３を係止凹部２４に嵌合させる。これにより、図２に示すように、収納トレイ本体１１の底部と曲げガイド１７と内周壁１８とで囲まれた心線通過部を、心線押え鍔２１を用いて閉じた状態にすることができる。この状態で、心線の曲げ状態や配置位置等を整える作業を行うが、心線押え鍔２１が閉じられていることから、収納された心線２５を移動させる等の作業を行っても、心線２５が収納部１６から外れてしまう恐れがなくなる。そのため、収納作業を迅速、円滑に行うことが可能となる。
【００３１】
なお、収納部１６に収納される心線２５の本数が多い場合には、心線押え鍔２１を閉じたとき、収納された心線２５と心線押え鍔２１との隙間が小さくなってしまう、あるいは収納された心線２５が心線押え鍔２１に当接してしまうことも考えられる。そこで、心線押え鍔２１を、弾力性を有する材料で形成するようにすることで、必要な場合には心線押え鍔２１を閉じたまま少しだけ持ち上げることが可能となる。
【００３２】
上記のように、心線押え鍔２１を閉じたまま少しだけ持ち上げることにより、心線押え鍔２１と心線２５との間隔を拡大することができる。これにより、心線２５の本数が多い場合にも、心線２５の配置を整える等の収納作業を容易に行うことが可能となる。
【００３３】
心線押え鍔２１と曲げガイド１７のそれぞれに設けられた係止凸部２３と係止凹部２４の形状の１実施例を図３に示す。係止凸部２３の最大幅は、係止凹部２４の径よりも若干大きくなるように形成されており、係止凸部２３の嵌合／引抜が可能となるよう係止凹部２４に弾力性を持たせている。
【００３４】
係止凸部２３を係止凹部２４に嵌合させるには、心線押え鍔２１の係止凸部２３が設けられた端部を上から押圧する。これにより、係止凸部２３を係止凹部２４に嵌合させることができ、この状態では収納作業中に心線が心線押え鍔２１に当接してこれを押圧したとしても、その程度の押圧では外れることがない。また、係止凸部２３を係止凹部２４から引抜く場合には、心線押え鍔２１の係止凸部２３が設けられた端部を上方に引っ張ることで引抜き可能である。
【００３５】
上記のように、係止凸部２３と係止凹部２４とを、相互の嵌合／引抜が容易に行えるように形成することで、心線の収納作業を迅速かつ円滑に行えるようにすることが可能となる。
【００３６】
係止凸部２３と係止凹部２４の別の実施例を図４に示す。図４では、心線押え鍔２１の係止凸部２３を配置する位置に貫通孔３１が設けられており、略Ｕ字形状のつまみ部３２の一端が心線押え鍔２１の表面に固定され、つまみ部３２の他端が貫通孔３１を貫通してその先端に係止凸部２３を付設している。
【００３７】
上記のように構成された係止凸部２３は、つまみ部３２の弾力により係止凹部２４に容易に挿入することが可能となる。また、係止凸部２３を係止凹部２４から引抜く場合には、つまみ部３２をつまむことで係止凸部２３が矢印３３の方向に移動し、係止凸部２３を係止凹部２４から容易に引抜くことが可能となる。
【００３８】
上記のようなつまみ部３２を有する場合には、係止凸部２３と係止凹部２４との嵌合部の接触面積を大きくすることができ、収納作業中に容易に外れないようにすることができる。嵌合部の接触面積を大きくしても、係止凸部２３を係止凹部２４から引抜く場合には、つまみ部３２をつまむことで容易に引き抜くことができる。
【００３９】
心線押え鍔２１の別の実施例を、図５を用いて以下に説明する。心線押え鍔２１を閉じたとき、心線押え鍔２１と収納トレイ本体１１の底部との間に、心線２５の直径以上の隙間が空く場合がある。この場合には、心線２５の本数が少ないと曲げガイド１７と内周壁１８との間で心線２５が移動してしまう恐れがある。
【００４０】
そこで、心線押え鍔２１の別の実施例として、図５（ｂ）に示すように心線押え鍔２１の下部に押圧部４１を備えるようにすることができる。押圧部４１は、ゴム等の高い弾力性を有する材料で形成するようにすることで、心線２５に大きな押圧力が加わらないようにするのが好ましい。押圧部４１で心線２５を軽く押圧させるようにすることで、心線２５が曲げガイド１７と内周壁１８との間で移動するのを防止することが可能となる。
【００４１】
押圧部４１を備えた心線押え鍔２１の断面図を図５（ｃ）に示す。同図に示すように、押圧部４１をチューブ状に形成することにより、心線２５を押圧したときに押圧部４１が容易に変形できるようにし、心線２５に大きな押圧力が加わらないようにすることができる。
【００４２】
なお、本実施の形態における記述は、本発明に係る光ファイバ収納トレイの一例を示すものであり、これに限定されるものではない。例えば、本実施の形態では、心線押え鍔を回転可能に連結したが、平行移動可能に連結するもの、着脱可能に連結するものなど、トレイの所定箇所との間に形成される心線を配線可能な環状空間を開閉しうるものであれば種々の機構が採用可能である。また、上記実施形態では、心線押え鍔を収納トレイ本体の長手方向の両端２箇所に設けるようにしているが、心線押え鍔をさらに追加して設置することも可能である。本実施の形態における光ファイバ収納トレイの細部構成及び詳細な動作等に関しては、本発明の趣旨を逸脱しない範囲で適宜変更可能である。
【図面の簡単な説明】
【００４３】
【図１】本発明の実施形態に係る光ファイバ収納トレイの構造を示す平面図及び側面図である。
【図２】本実施形態の光ファイバ収納トレイに光ファイバの心線を収納し終えた状態を示す平面図である。
【図３】係止凸部と係止凹部の１実施例を示す断面図である。
【図４】係止凸部と係止凹部の別の実施例を示す断面図である。
【図５】心線押え鍔の別の実施例を示す断面図である。
【図６】従来の光ファイバ収納トレイの構造を示す平面図である。
【符号の説明】
【００４４】
１０    光ファイバ収納トレイ
１１    収納トレイ本体
１２    収納トレイ蓋
１３    外周壁
１４    心線導入口
１５    固定部
１６    収納部
１７    曲げガイド
１８    内周壁
１９    固定鍔
２１    心線押え鍔
２２    ヒンジ部
２３    係止凸部
２４    係止凹部
２５    心線
３１    貫通孔
３２    つまみ部
３３    矢印
４１    押圧部
１００  光ファイバ収納トレイ
１０１  収納部
１０２  トレイ
１０３  固定鍔
１０４  心線押え鍔
【図１】
2009251320.tif 000003
【図２】
2009251320.tif 000004
【図３】
2009251320.tif 000005
【図４】
2009251320.tif 000006
【図５】
2009251320.tif 000007
【図６】
2009251320.tif 000008